(57)【要約】【課題】  身体の任意の部位を冷却できる身体冷却装置を提供する。【解決手段】  身体冷却装置Ｓは、冷却材３を含む冷却部１と、冷却部１に対して脱着可能な可撓性のベルト部材１０と、ベルト部材１０に取り付けられた冷却部１を身体に対して接触した状態で保持する綿ファスナー１１Ａ、１１Ｂとを有している。【選択図】        図１
2005118139.tif 000002
【特許請求の範囲】
【請求項１】
身体の少なくとも一部を冷却する身体冷却装置であって、
冷却材を含む冷却部と、
前記冷却部に対して脱着可能な可撓性部材と、
前記可撓性部材に取り付けられた前記冷却部を身体に対して接触した状態で保持する保持部とを有することを特徴とする身体冷却装置。
【請求項２】
前記可撓性部材はベルト部材を含み、
前記保持部は、前記ベルト部材を身体の一部に巻きつけた状態で該ベルト部材の一部と他部とを連結する連結部を含むことを特徴とする請求項１記載の身体冷却装置。
【請求項３】
前記可撓性部材は前記冷却部より大きい鍔状部材を含み、
前記保持部は、前記鍔状部材に取り付けられた前記冷却部を身体との間に挟んだ状態でその身体に被される帽子部材を含むことを特徴とする請求項１記載の身体冷却装置。
【請求項４】
前記鍔状部材には切欠部が設けられていることを特徴とする請求項３記載の身体冷却装置。
【請求項５】
前記冷却部は冷却材を収容する袋部を有し、
前記袋部は、前記冷却材を出し入れする開口部を有することを特徴とする請求項１〜４のいずれか一項記載の身体冷却装置。
【発明の詳細な説明】
【技術分野】
【０００１】
本発明は身体冷却装置に関するものである。
【背景技術】
【０００２】
従来より、炎天下でスポーツや各種作業を行う場合などにおいては、帽子を被ることによって、直射日光が当たって頭部が温度上昇するのを防止している。また、例えば下記特許文献１に開示されているように、冷却材を取り付けた帽子を被ることによって頭部の温度上昇を防ぐ技術もある。
【特許文献１】特開平１１−２６９７１４号公報
【発明の開示】
【発明が解決しようとする課題】
【０００３】
ところで、上記従来技術では、帽子に形成されたポケットに冷却材を収容して頭部を冷却する構成であって、専用のポケットを有する帽子以外には使用できない不都合がある。また、炎天下でのスポーツや各種作業においては、頭部以外にも例えば首に当たる直射日光を遮って体温上昇を防ぐことも重要である。
【０００４】
本発明はこのような事情に鑑みてなされたものであって、身体の任意の部位を冷却できる身体冷却装置を提供することを目的とする。
【課題を解決するための手段】
【０００５】
上記の課題を解決するため、本発明の身体冷却装置は、身体の少なくとも一部を冷却する身体冷却装置であって、冷却材を含む冷却部と、前記冷却部に対して脱着可能な可撓性部材と、前記可撓性部材に取り付けられた前記冷却部を身体に対して接触した状態で保持する保持部とを有することを特徴とする。
本発明によれば、冷却部を可撓性部材に取り付け、身体のうち冷却部を当てたい部位の形状（体型など）に合わせて可撓性部材を撓ませ、その状態で保持部で身体に保持することで、身体の任意の部位（位置）を良好に冷却することができる。また、その可撓性部材を例えば吸湿性を有する材料によって構成することにより、発汗が生じてもその汗を可撓性部材で吸収することができ不快感を与えることがない。そして、冷却部と可撓性部材とは脱着可能であるので、汗を吸い取った可撓性部材だけを新しいものと交換すればよく、衛生的且つ経済的である。
【０００６】
本発明の身体冷却装置において、前記可撓性部材はベルト部材を含み、前記保持部は、前記ベルト部材を身体の一部に巻きつけた状態で該ベルト部材の一部と他部とを連結する連結部を含むことを特徴とする。本発明によれば、可撓性部材をベルト部材とすることにより、例えば冷却部を首などに当ててベルト部材を首に巻くようにすることで、首に直射日光が当たるのを防止しつつ冷却することができる。もちろんベルト部材を巻く部位（すなわち冷却する部位）としては首に限らず、例えば腕や脚など身体の任意の部位でよい。
【０００７】
本発明の身体冷却装置において、前記可撓性部材は前記冷却部より大きい鍔状部材を含み、前記保持部は、前記鍔状部材に取り付けられた前記冷却部を身体との間に挟んだ状態でその身体に被される帽子部材を含むことを特徴とする。本発明によれば、例えば鍔状部材に取り付けられた冷却材を頭部に当て、その上から帽子部材を被るようにすることで頭部を効果的に冷却することができる。この場合、例えば冷却材を入れるためのポケットを有する専用の帽子を用意しなくても頭部を冷却することができる。また、冷却部を頭部のうちの任意の位置に当てて帽子部材を被って保持することで、冷却部の位置ずれを生じさせることなくその頭部の任意の位置を冷却することができる。
【０００８】
この場合において、前記鍔状部材には切欠部が設けられていることを特徴とする。これにより、鍔状部材を例えば頭部の形状に合わせて折り曲げるときに折り曲げやすくなるため、鍔状部材を頭部にフィットさせることができる。
【０００９】
本発明の身体冷却装置において、前記冷却部は冷却材を収容する袋部を有し、前記袋部は、前記冷却材を出し入れする開口部を有することを特徴とする。本発明によれば、開口部を介して冷却材を交換することができ、常に良好な冷却効果を得ることができる。また、冷却能力が減退した冷却材は開口部より取り出し、例えば冷凍などすることで、再び冷却能力を得ることができる。なお前記開口部にはファスナー等の開閉装置を設けてもよい。
【発明の効果】
【００１０】
本発明によれば、身体の任意の部位を効果的に冷却することができ、例えば炎天下でスポーツや各種作業を円滑に行うことができる。
【発明を実施するための最良の形態】
【００１１】
以下、本発明の身体冷却装置について図面を参照しながら説明する。図１は本発明の身体冷却装置の第１実施形態を示す概略斜視図であって、図１（ａ）は斜視図、図１（ｂ）は側面図である。
図１において、身体冷却装置Ｓは、身体の少なくとも一部を冷却するものであって、冷却部１と、冷却部１に接続するベルト部材１０とを備えている。冷却部１は、袋部２と、袋部２の内部に収容された冷却材３とを備えている。袋部２は、例えば綿などの布製である。袋部２には開口部４が設けられており、その開口部４を介して冷却材３が袋部２の内部に対して出し入れ可能となっている。また、開口部４には、この開口部４を開閉するファスナー５が取り付けられており、袋部２の内部に冷却材３を収容したとき、ファスナー５で開口部４を閉じることができるようになっている。これにより、冷却材３が開口部４を介して袋部２の外側に飛び出す不都合が防止されている。
【００１２】
なお、冷却材３としては、例えばポリビニルアルコールなどの合成樹脂製の袋の中に、例えば液体やジェル体などからなる公知の冷却用物質を入れたものを用いることができる。そして、例えばその冷却材３を冷凍庫などに入れて冷却用物質を冷凍することにより冷却能力を得ることができ、その冷却用物質が溶けて冷却能力が減退したとき、冷凍するすることで再び冷却能力を得ることができる。なお、冷却用物質としては、例えばドライアイスを用いてもよい。
【００１３】
ベルト部材１０は、例えば綿などの布製であって、撓むことができる。本実施形態において、ベルト部材１０は冷却部１の袋部２の両側にそれぞれ取り付けられている。以下の説明では、図中、袋部２の右側のベルト部材１０を第１ベルト部材１０Ａ、左側のベルト部材１０を第２ベルト部材１０Ｂと適宜称する。そして、ベルト部材１０（１０Ａ、１０Ｂ）は、冷却部１の袋部２に対して脱着可能に設けられている。本実施形態においては、ベルト部材１０と袋部２との間に綿ファスナー（マジックテープ（登録商標））が介在しており、その綿ファスナーによりベルト部材１０と袋部２とが脱着可能となっている。また、第１ベルト部材１０Ａの一端部、及び第２ベルト部材１０Ｂの一端部のそれぞれにも、連結部を構成する綿ファスナー１１Ａ、１１Ｂが設けられている。
【００１４】
図２は、図１に示した身体冷却装置Ｓの取り付け例を示す図である。図２に示す例では、身体冷却装置Ｓは首に取り付けられている。図２に示すように、冷却部１を首の後ろに接触した状態で、ベルト部材１０を首に巻きつけた状態で、綿ファスナー１１Ａ、１１Ｂを連結することで、第１ベルト部材１０Ａの一端部と第２ベルト部材１０Ｂの一端部とが連結される。これにより、冷却部１は、首の後ろに対して接触した状態で保持される。こうすることにより、例えば炎天下でスポーツや各種作業を行っても、冷却部１で首の後ろが冷却されるとともに、袋部２やベルト部材１０によって首に対して直射日光が当たるのを防止することができる。
【００１５】
ベルト部材１０は布でできており、首の太さや形状に合わせて自由に撓ませることができる。また、そのベルト部材１０や袋部２は布製であって吸湿性を有するため、汗を吸い取ることができる。そして、冷却部１（袋部２）とベルト部材１０とは脱着可能であるので、汗を吸い取ったベルト部材１０（あるいは袋部２）を新しいものと交換することができる。あるいはベルト部材１０や袋部２は洗濯することができ、衛生的である。また、袋部２に冷却材３を入れることにより、冷却材３の冷熱が袋部２を介して肌に作用するので、過剰に冷えることが防止される。
【００１６】
また、例えばゴルフプレー中に身体冷却装置Ｓを装着しているとき、その装着中に首が冷え過ぎたと感じたときには、綿ファスナー１１Ａ、１１Ｂの連結を解除して身体冷却装置Ｓを身体から外して例えばゴルフバック等に入れて持ち歩くことができ、プレーに集中できる。また、ベルト部材１０や袋部２を任意の模様（柄）にすることにより、ファッション性も向上することができる。
【００１７】
また、ゴルフプレー中に、冷却材３の冷却用物質が溶けて冷却能力が減退したときには、開口部４からその冷却材３を取り出し、冷えた新しい冷却材３と交換すればよい。新しい冷却材３は例えば保冷箱に入れて持ち歩けばよい。また、冷却能力が減退している前記取り出した冷却材３は、例えば冷凍などすることで、再び冷却能力を得ることができる。
【００１８】
なお、本実施形態においては、袋部２の内部空間に１つの冷却材３が収容される構成であるが、袋部２が十分大きく（例えば首に巻けるくらい長く）、その袋部２の内部空間に複数の冷却材３を収容可能な場合、首全体を冷却できる。また、その袋部２の内部空間に仕切部を設けてその内部空間を複数の空間に分割し、分割された各空間（分割空間）のそれぞれに冷却材３を収容するようにしてもよい。こうすることにより、袋部２の内部空間に収容された複数の冷却材３が動いて片寄った位置に配置されるなどの不都合を回避することができ、袋部２の全域において均一な冷却効果を得ることができる。
【００１９】
なお、本実施形態においては、身体冷却装置Ｓを首に巻きつける例について説明したが、もちろん、首に限らず、身体のうち冷却したい任意の部位（例えば、腕や脚、胸や腹など）に取り付けることができる。
【００２０】
なお、図３に示すように、冷却材３を袋部２に入れずに、冷却材３にベルト部材１０を直接取り付けるようにしてもよい。冷却材３は、上述したように例えばポリビニルアルコール製の袋の中に冷却用物質を収容したものであって、その袋の両端部に第１、第２ベルト部材１０Ａ、１０Ｂのそれぞれが接続されている。なお、ベルト部材１０と冷却材３の袋との間に綿ファスナーを介在することによって、ベルト部材１０と冷却材３とを脱着可能とすることができる。袋部２を設けずに冷却材３をベルト部材１０に直接取り付けることにより、冷却材３が直接肌に触れるので、身体を十分に冷やすことができる。あるいは、ベルト部材１０の一部に（例えば長手方向中央部）に内部空間を形成し、その内部空間に冷却用物質を収容し、ベルト部材１０と冷却材３とを一体化してもよい。
【００２１】
図４は本発明の第２実施形態を示す図であって、図２（ａ）は平面図、図２（ｂ）は側面図である。図４に示す身体冷却装置Ｓは、冷却材３（冷却部１）に取り付けられた鍔状部材２０を備えている。鍔状部材２０は冷却部１よりも大きいシート状部材であって、冷却材３と鍔状部材２０との間には例えば綿ファスナーが介在され、冷却材３と鍔状部材２０とは脱着可能となっている。また、鍔状部材２０のエッジ部には切欠部２１が複数設けられている。本実施形態では、切欠部２１は鍔状部材２０の４箇所に設けられている。また、鍔状部材２０はビニール（合成樹脂）や布などによって構成されている。
【００２２】
図５は、図４に示した身体冷却装置Ｓの取り付け例を示す図である。図５に示す例では、身体冷却装置Ｓは頭部に取り付けられている。図５に示すように、冷却部１（冷却材３）を頭頂部に接触した状態で、その上から帽子３０を被る。これにより、鍔状部材２０に取り付けられた冷却部１は、帽子３０と頭部との間に挟まれ、帽子３０により頭部に接触した状態で保持される。この場合、鍔状部材２０によって頭部全体を覆うことができ、帽子３０を被ることで冷却材３のまわりが押さえられて固定することができる。また、冷却部１を頭部のうちの任意の位置（例えば側頭部）に当てて帽子３０を被って保持することで、冷却部１の位置ずれを生じさせることなくその頭部の任意の位置を冷却することができる。また、鍔状部材２０には切欠部２１が設けられているので、鍔状部材２０を頭部の形状に合わせて折り曲げるときに折り曲げやすくなるため、鍔状部材２０を頭部にフィットさせやすくなる。また、このような構成とすることにより、特別な構成を有する帽子３０を使うことなく、帽子３０と頭部との間に鍔状部材２０に取り付けられた冷却部１を挟むといった簡単な構成で、頭部を良好に冷却することができる。なお、帽子３０と鍔状部材２０（あるいは冷却部１）との間に綿ファスナーを介在させることにより、帽子３０と鍔状部材２０とが位置ずれすることを防止することができる。
【００２３】
なお、図６に示すように、鍔状部材２０の中央部に袋部２を設け、この袋部２の内部に冷却材３を収容するようにしてもよい。こうすることにより、上述したように、冷却材３の冷熱が袋部２を介して頭部に作用するので、特に頭髪の少ない場合において過剰に冷えることが防止される。
【００２４】
なお、上記各実施形態においては、袋部２に冷却材３を収容しているが、身体を加熱する携帯用カイロなどの加熱材を収容してもよい。こうすることにより、寒冷下でのスポーツや各種作業を円滑に行うことができる。つまり、本発明においては、冷却材を使用することにより身体冷却装置が構成され、冷却材の代わりに加熱材（加熱用物質）を使用することにより加熱部を有する身体加熱装置が構成される。
【図面の簡単な説明】
【００２５】
【図１】本発明の身体冷却装置の第１実施形態を示す概略斜視図である。
【図２】第１実施形態に係る身体冷却装置を装着した様子を示す模式図である。
【図３】第１実施形態の変形例を示す図である。
【図４】本発明の身体冷却装置の第２実施形態を示す図である。
【図５】第２実施形態に係る身体冷却装置を装着した様子を示す模式図である。
【図６】第２実施形態の変形例を示す図である。
【符号の説明】
【００２６】
１…冷却部、２…袋部、３…冷却材、４…開口部、１０…ベルト部材（可撓性部材）、
１１Ａ、１１Ｂ…綿ファスナー（保持部、連結部）、２０…鍔状部材（可撓性部材）、
２１…切欠部、３０…帽子（保持部）、Ｓ…身体冷却装置
【図１】
2005118139.tif 000003
【図２】
2005118139.tif 000004
【図３】
2005118139.tif 000005
【図４】
2005118139.tif 000006
【図５】
2005118139.tif 000007
【図６】
2005118139.tif 000008